(57)【要約】【課題】スティック式ポインティングデバイスとタッチホイールとを有し、少ない実装面積で２つのポインティングデバイスを併用することで操作性の良い電子機器を実現する。【解決手段】スティック７はＯＳ２０上で制御されるポインタの操作に用いられ、タッチホイール８はＬＣＤパネル４上に表示されるポインタの操作は行わず、アプリケーションソフトで制御される動作を操作する際に用いられる。例えば、ＬＣＤパネル４上に表示されるアプリケーションソフトのウインドウのページアップ、ページダウン（スクロールとも呼ぶ）や、オーディオファイルの再生時や動画の再生時には、早送り、巻き戻しの操作などに用いられる。さらに本実施形態では、キーボード５に設けられているファンクションキー（Ｆｎ）を押しながら、タッチホイール８を操作することで別の動作を制御することができる。【選択図】      図１
2006260339.tif 000002
【特許請求の範囲】
【請求項１】
キーボードを有する本体と、
前記本体と回動可能に接続され、表示手段を有する表示部と、
前記本体に設けられ、オペレーティングシステムで制御されるポインタを操作可能な第１のポインティングデバイスと、
前記オペレーティングシステム上で実行されるアプリケーションプログラムの操作が可能な第２のポインティングデバイスと、
を具備する電子機器。
【請求項２】
前記第１のポインティングデバイスと前記第２のポインティングデバイスとは、前記本体の前記キーボードが設けられた面と略同一面に設けられることを特徴とする請求項１に記載の電子機器。
【請求項３】
前記第１のポインティングデバイスは、スティック式の入力手段であり、前記第２のポインティングデバイスは面状の入力手段であることを特徴とする請求項２に記載の電子機器。
【請求項４】
前記第２のポインティングデバイスは環状の形状をしており、前記第１のポインティングデバイスは前記環内に設けられていることを特徴とする請求項１に記載の電子機器。
【請求項５】
前記キーボードに設けられた所定キーと、前記所定キーを押下した状態で前記第２のポインティングデバイスが操作された場合に、前記アプリケーションプログラムの操作とは異なる第２の操作が可能であることを特徴とする請求項１に記載の電子機器。
【請求項６】
前記第１のポインティングデバイスは、スティック式の入力手段であり、前記第２のポインティングデバイスは面状の入力手段である、前記第２のポインティングデバイスは前記本体ケースの面とは異なる高さに設けられていることを特徴とする請求項１に記載の電子機器。
【請求項７】
キーボードを上面に有する本体と、
前記本体と回動可能に接続され、表示手段を有する表示部と、
前記本体の前記キーボードの手前に設けられた環状のタッチパネルと、
前記環状タッチパネルの環内に設けられたスティック式ポインティングデバイスと、
を具備することを特徴とする電子機器。
【請求項８】
前記環状のタッチパネルは、電子機器が動作されるオペレーティングシステム上で実行されるアプリケーションソフトウェアが有する第１の機能の操作に用いられることを特徴とする請求項７に記載の電子機器。
【請求項９】
前記キーボードに設けられた所定キーと、前記所定キーを押下した状態で前記第環状のタッチパネルが操作された場合に、前記第１の機能とは異なる第２の機能の操作が可能であることを特徴とする請求項７に記載の電子機器。
【請求項１０】
第１のポインティングデバイスと第２のポインティングデバイスとを有する電子機器の入力制御方法において、
前記第１のポインティングデバイスから入力された入力情報に応じて、前記電子機器が動作されるオペレーティングシステム上で動作されるポインタの制御を行い、
前記第２のポインティングデバイスから入力された入力情報に応じて、前記オペレーティングシステム上で動作されるアプリケーションソフトの第１の機能の操作を行うこと
を特徴とする電子機器の制御方法。
【請求項１１】
前記電子機器はキーボードを有し、
前記キーボードに設けられた所定キーが押されたか否か判別し、
前記所定キーが押されている場合で且つ前記第２のポインティングデバイスからの入力を検出した場合、前記第１の操作とは異なる前記第２の機能の操作を行うこと
を特徴とする請求項１０に記載の電子機器の制御方法。
【発明の詳細な説明】
【技術分野】
【０００１】
本発明は、ポインティングデバイスを有する電子機器に関する。
【背景技術】
【０００２】
従来、パーソナルコンピュータ（以後、パソコンと称す）の入力装置としては、キーボードが広く利用されてきているが、このキーボードの補助的な入力装置として、例えば、マウス、トラックボール、タッチパッド、スティック式ポインティングデバイスなどのポインティング入力装置（ポインティングデバイス）が併用されることが多い。
【０００３】
それらポインティングデバイスを用いて、表示装置の表示画面上に表示されているポインタ（カーソル）などを移動させるための操作および、選択、実行等の指示のためのクリックやダブルクリックの操作を行なうことができる。
【０００４】
特に、パソコンに搭載されるポインティングデバイスとしては、スティック式ポインティングデバイスまたはタッチパッドのいずれかが搭載されるものが増えてきている。
【０００５】
スティック式ポインティングデバイスはその占有面積が小さくて済むという利点があり、タッチパッドは占有面積は増えるものの操作性に優れると言う利点がある。
【０００６】
近年、ポインティングデバイスとしてタッチパッドが採用されているPCが増えている。これは、ポインタの操作が指の移動量と比例しているため操作しやすいと言う点と、画面のスクロールが行いやすいという利点があるからだと推察される。なお、タッチパッドを使って、画面の上下のスクロールを行う場合はタッチパッドの右端を上から下（または下から上）へ動かし、下端まで指が移動した場合、再度指をタッチパッドを右上端へ持って行き、再度上から下へなぞるように動かすことで画面がスクロールされる。
【０００７】
また、トラックボールの周囲にホイールを設け、このホイールによってスクロール操作可能な聞きも存在している（特許文献１）。
【特許文献１】米国特許６，７８８，２８８号公報
【発明の開示】
【発明が解決しようとする課題】
【０００８】
しかし、タッチパッドの領域は限られているため、アプリケーションウインドウの画面スクロールを続けるためには、指を一旦上から下へなぞるように動かした後、一旦指をタッチパッドから離して、再びタッチパッドの上端へ持って行き、上から下へなぞる動作を繰り返す必要がある。
【０００９】
この場合、タッチパッド上を何度も指でなぞっては、上端の位置に戻すという操作が必要であり、操作効率が悪い。
【００１０】
また、特許文献１に記載の技術では機械式の円形ホイールの中に、トラックボールとクリックボタンとが設けられている。ホイールの回転が機械的構造であるため、ホイールを回転させたときに摩擦などによるホイールの劣化が懸念され、またホイールの直径も大きくなるため、実装する際に広い面積が必要になり、小型の電子機器には実装が難しい。
【００１１】
本発明は上記実情に鑑みてなされたものであり、２つのポインティングデバイスを有し、操作性を向上させる電子機器を提供することを目的とする。
【課題を解決するための手段】
【００１２】
上記目的を達成するために、請求項１に係る発明では、キーボードを有する本体と、本体と回動可能に接続され、表示手段を有する表示部と、本体に設けられ、オペレーティングシステムで制御されるポインタを操作可能な第１のポインティングデバイスと、オペレーティングシステム上で実行されるアプリケーションプログラムの操作が可能な第２のポインティングデバイスとを具備することを特徴とする。
【００１３】
このような構成により、２つのポインティングデバイスを有し、操作性を向上させる電子機器を提供することが可能である。
【００１４】
また請求項７に係る発明では、キーボードを上面に有する本体と、本体と回動可能に接続され、表示手段を有する表示部と、本体のキーボードの手前に設けられた環状のタッチパネルと、環状タッチパネルの環内に設けられたスティック式ポインティングデバイスと、を具備することを特徴とする。
【００１５】
このような構成により、２つのポインティングデバイスを有し、操作性を向上させる電子機器を提供することが可能である。
【００１６】
また、請求項１０に係る発明では、第１のポインティングデバイスと第２のポインティングデバイスとを有する電子機器の入力制御方法において、第１のポインティングデバイスから入力された入力情報に応じて、電子機器が動作されるオペレーティングシステム上で動作されるポインタの制御を行い、第２のポインティングデバイスから入力された入力情報に応じて、オペレーティングシステム上で動作されるアプリケーションソフトの第１の機能の操作を行うことを特徴とする。
【００１７】
このような構成により、２つのポインティングデバイスを有し、操作性を向上させる電子機器の制御方法を提供することが可能である。
【発明の効果】
【００１８】
本発明では、スティック式ポインティングデバイスとタッチパットとの２つのポインティングデバイスを有し、操作性を向上させる電子機器を実現する。
【発明を実施するための最良の形態】
【００１９】
以下本発明に係る実施形態を、図面を参照して説明する。
【００２０】
図１に、第１の実施形態に係るパソコンの上面図を示す。
【００２１】
パソコン１は、本体ケース２と表示部ケース３とＬＣＤパネル４とキーボード５とを有する。本体ケース２はその上面部にキーボード５を配設している。本体ケース２と表示部ケース３とは、ヒンジ部６により回動可能に接続されている。表示部ケース３は、ＬＣＤパネル４の表示領域が可視状態となるようＬＣＤパネル４の周辺部を保持している。また本体ケース２上面の、キーボード５の下方にスティック式ポインティングデバイスのスティック７が設けられ、さらにこのスティック７を取り囲むように環状（ドーナツ状）のタッチパネル８（以後、タッチホイールと称す）が設けられている。このタッチホイール８の外側に、スティック７により操作されたカーソルなどの指示を決定する２つのボタン９が設けられている。
【００２２】
表示部ケース３はヒンジ部６を介して、キーボード５を覆う閉位置とキーボード５を使用可能な状態である開位置との間で回動可能である。
【００２３】
続いて図２に第１の実施形態に係るパソコンのハードウェア構成図を示す。
【００２４】
パソコン１は、図示するように、ＣＰＵ１１、グラフィック/メモリコントローラハブ１２、メインメモリ（主記憶装置）１３、Ｉ／Ｏハブ１４、ＢＩＯＳ−ＲＯＭ１５、ハードディスクドライブ（ＨＤＤ）１６、エンベッテッドコントローラ/キーボードコントローラ（以後、ＥＣ／ＫＢＣと称す）１７等を備えている。
【００２５】
ＣＰＵ１１は、パソコン１全体の動作制御およびメインメモリ１３のデータ内容を参照し、それに基づきデータ処理等を実行するデバイスである。また、図示はしないが、このＣＰＵ１１は外部にクロックジェネレータから供給されるクロックで動作される。
【００２６】
メインメモリ１３は、パソコン１の動作中にオペレーティングシステム（以後、OSと称す）２０や、BIOS-ROM１５の一部機能２１やユーティリティソフトウェア２２や実行アプリケーションなどが記憶され、CPU１１の指示により、グラフィック/メモリコントローラハブ１２を介してデータの読出し／書き込みが実行される。
【００２７】
ＯＳ２０は、パソコン１のハードウェアとソフトウェアの動作を総合的に管理/制御するためのものである。また、アプリケーションの、割込み等の手続きに対してＣＰＵ１１の処理の権利（ＣＰＵ１１の利用権）を与えるかの管理等を行なう。
【００２８】
ＢＩＯＳ２１は、パソコン１内の各種ハードウェアをアクセスするファンクション実行ルーチンを体系化したものであり、パソコン１の起動時に、ＢＩＯＳ−ＲＯＭ１５から読み出されるものである。また、各種ハードウェアへの電源供給制御等の省電力設定を記憶している。
【００２９】
ユーティリティソフト２２は、各種デバイスからのイベント発生（割り込み等）に応じて、適当な処理を行なうべくBIＯＳ２１やOSと共同して動作する。
【００３０】
グラフィック/メモリコントローラハブ１２は、ＣＰＵ１１と第１のバス２３との間、及びＣＰＵ１１とメインメモリ１３との間を繋ぐブリッジＬＳＩであり、第１のバス２３のバスマスタデバイスの１つとして機能する。このグラフィック/メモリコントローラハブ１２は、ＣＰＵ１１と第１のバス２３との間で、データ及びアドレスを含むバス幅を変換する機能、及びメモリバスを介してメインメモリ１３のアクセス制御をする機能などを有している。また、表示コントローラとしての機能も有しており、グラフィック/メモリコントローラハブ１２に接続されたＬＣＤパネル４へ表示データを送信する。
【００３１】
Ｉ／Ｏハブ１４は、Ｉ／Ｏハブ１４に接続されるＬＰＣ（Ｌｏｗ  Ｐｉｎ  Ｃｏｕｎｔ）バス２４上のデバイスと、グラフィック/メモリコントローラハブ１２との間のデータ変換等を行うブリッジ回路であり、各種Ｉ／Ｏコントローラが内蔵されている。
【００３２】
ＢＩＯＳ−ＲＯＭ１５は、パソコン内の各種ハードウェアをアクセスするファンクション実行ルーチンを体系化したプログラムであり、プログラムが書き換え可能なようにフラッシュＲＯＭにより構成されている。パソコン１の起動時に、各種ハードウェアの初期化を実行したり、起動時にＢＩＯＳ−ＲＯＭ１５の一部のプログラムがメモリ１３へコピーされ、ＯＳ実行中にも各種ハードウェアへの入出力制御を行う。
【００３３】
ＨＤＤ１６は、データを記憶する不揮発性記憶デバイスであり、パソコン１の電源が切断されている状態でもデータを保持可能である。このＨＤＤ１６には、ＯＳや、各種アプリケーション、ドライバ、ユーティリティソフト、音楽や映像などのコンテンツデータが記憶されており、これらのデータはＣＰＵ１１により適宜メモリ１３へ読み出され、読み出されたデータはＣＰＵ１１によってさらに処理される。
【００３４】
ＥＣ／ＫＢＣ１７は、ＣＰＵ１１によってリード／ライト可能な複数のレジスタを内蔵している。このレジスタを使用することにより、ＣＰＵ１１と、ＥＣ／ＫＢＣ１７に接続されたデバイスとの間の通信が可能となる。また、キーボードコントローラの機能も内蔵されており、ＥＣ／ＫＢＣ１７に接続されるキーボード５、スティック７やタッチホイール８から入力される信号の処理が行われ、上位のデバイス（ＣＰＵ１１等）へ通知する。
【００３５】
ＥＣ／ＫＢＣ１７には、さらに電源コントローラ２５が接続されている。電源コントローラ２５は、パソコン１全体の電源制御を行っており、二次電池である図示しないバッテリや外部電源となるＡＣアダプタからの電源供給をパソコン１内のデバイスへ供給する。また、バッテリの充放電制御を行うとともにバッテリの残量監視なども行う。また、ＡＣアダプタから電源供給を受けている場合は、バッテリの残量に応じて充電制御を行う。
【００３６】
スティック７、タッチホイール８、ボタン９はＥＣ／ＫＢＣ１７に接続されており、それぞれの入力装置からの入力を受けて、ＥＣ／ＫＢＣ１７で入力信号の処理が行われ、入力情報が上位装置へ伝えられる。
【００３７】
本実施形態では、スティック７はＯＳ２０上で制御されるポインタの操作に用いられ、タッチホイール８はＬＣＤパネル４上に表示されるポインタの操作は行わず、アプリケーションソフトで制御される動作を操作する際に用いられる。例えば、ＬＣＤパネル４上に表示されるアプリケーションソフトのウインドウのページアップ、ページダウン（スクロールとも呼ぶ）や、オーディオファイルの再生時や動画の再生時には、早送り、巻き戻しの操作などに用いられる。さらに本実施形態では、キーボード５に設けられているファンクションキー（Ｆｎ）を押しながら、タッチホイール８を操作することで別の動作を制御することができるが、詳細については後述する。
【００３８】
詳細については、以後、図３乃至図９を用いて説明する。
【００３９】
図３に第１の実施形態に係るパソコンの本体ケース上面のスティック周辺の拡大図を示す。
【００４０】
図３に示すように、本体ケース上面にスティック７を取り囲むように環状のタッチホイール８が設けられており、さらにタッチホイール８の外側にボタン９が設けられている。
【００４１】
スティック７はベクトル量によりポインタの移動量を示し、スティック７の傾斜角に応じて、ポインタの移動方向と移動量とが決定され、ＬＣＤパネル４に表示されているポインタの移動制御が行われる。
【００４２】
タッチホイール８は静電容量方式で位置と移動量を検出する方式の入力装置であり、タッチホイール８は保持されている静電容量の変化に基づいて現在の接触部分、移動量とが判別される。より詳細に説明すると、タッチホイール８は指などが接触する上面と、その下方に下面が設けられており、この上面と下面との間に静電容量を保持された構造である。上面に指またはその他の導体を接触させると静電容量が変化するので、この変化量を読み取ることで入力の検出が行なわれる。例えば、図３中のタッチホイール８のＬ地点に指を置き、その後Ｍ地点へ指を移動した場合（矢印Ｘ方向）、指の移動方向と移動量とが検出され、時計回りに動かされたことが検出される。同時に、指の移動量が検出されるので、この移動量に応じて、ウインドウのページダウン（スクロール）が行われる。また、Ｌ地点からＮ地点へ移動されたことが検出された場合は、反時計回りに動かされたことが検出され、検出された移動量に応じてウインドウのページアップ（スクロール）が行われる。
【００４３】
また図４に、図３のＺ−Ｚ線に沿った断面図を示す。
【００４４】
図示するようにタッチホイール８は本体ケース２より少し高さをずらして設けられている。これは操作する際に本体ケース２の高さから、高さ方向にずらすことでタッチホイール８の位置を触るだけで判別できる。また、本実施形態ではタッチホイール８を本体ケース２より凹上になるよう設けることで、タッチホイール８面からスティック７の高さを確保できる。これにより、本体ケース２からのスティック７の突出量は少なくてすみ、パソコン１の薄型化にも貢献する。
【００４５】
続いて図５に、第１の実施形態に係るソフトウェアの構成図を示す。
【００４６】
図示のように、タッチホイール８の動作はＥＣ／ＫＢＣ１７、ＢＩＯＳ２１を介して、その入力情報がＯＳ２０へ伝えられる。ここで、ＯＳ２０上で、何らかのアプリケーションソフトが実行されている場合は、ユーティリティソフト２２を介して、そのアプリケーションに従った挙動が実行される。
【００４７】
次に、図６に第１の実施形態に係るユーティリティソフトの設定ウインドウの図を示す。
【００４８】
ここでは、各アプリケーションソフトと、タッチホイール８を操作した時の挙動（制御）について設定する例である。
【００４９】
図には、タッチホイールの動作を設定するユーティリティソフトの設定例の画面５１である。ここには、ソフトの名称５２と、タッチホイール８を操作した時にどのような動作、制御が行われるかを設定するドロップダウンリスト５３、５４が表示されている。ここでは、アプリケーションソフト毎に、タッチホイールを操作した時の動作を設定することが可能であり、例えば、ブラウザソフト５２の場合は、タッチホイール８に指または導体を置き、それ図３中のＸ方向またはＹ方向へ操作したときに、ブラウザソフト５２で表示されているインターネットページ（若しくはＨＴＭＬ形式やブラウザソフトで表示可能なファイル）のページアップ、ページダウン（縦スクロール）５３を実行する。また、ファンクション（Ｆｎ）キーを押した状態で、例えば図３のＹ方向に指が動かされた場合は、現在表示中のインターネットページの直前に表示したページが表示され（戻る）、X方向に指が動かされた場合は、「戻る」操作の前に表示していたページを再び表示する（進む）処理が行われる。
【００５０】
このように本実施形態では、図６で示すようにアプリケーションソフト毎にタッチホイール８を操作した際の動作/制御を設定することが可能である。
【００５１】
また、ユーザが、タッチホイール８を用いて操作を設定したいアプリケーションを選択することが可能である。これは、ウインドウ５１の中の「アプリケーションソフトの登録」ボタン５５を、クリックした場合、図７に示す登録画面が表示される。
【００５２】
図７は、第１の実施形態に係るタッチホイールで操作を設定するアプリケーションソフトの登録画面の図を示す。
【００５３】
ウインドウ６１ではアプリケーションソフトの名称６２が表示されており、各アプリケーションソフトには、選択しているか未選択であるかを判別可能なようにマーカー６３が表示されている。
【００５４】
例えばタッチホイール８の操作と関連付けたいアプリケーションであるブラウザソフト６２の場合、選択されているので、選択されている印として黒丸がマーク６３されている。
【００５５】
一方、タッチホイール８の操作と関連付けられていないアプリケーションである表計算ソフト６４の場合は、未選択であるため、マーカー６４に黒丸は表示されていない。
【００５６】
このように図７で選択された６種類のアプリケーションソフトが図６においてタッチホイール８の動作と関連付けられたアプリケーションソフトとして表示される。
【００５７】
なお、本実施形態の図６及び図７では、アプリケーションソフトの種類を記載しているが、特定のアプリケーションの名称を表示し、アプリケーション毎に設定することも可能である。
【００５８】
図８に第１の実施形態に係るブラウザアプリケーション実行時のタッチホイールの制御フローチャートを示す。
【００５９】
パソコン１上でブラウザアプリケーションが起動され、インターネットのブラウジングが行われているものとする（ステップS１０１）。
【００６０】
ブラウジング中にタッチホイール８の操作が検出された場合（ステップS１０２）、次にファンクションキー（Fn）が押されているか否かを判断する（ステップS１０３）。もしFnキーがされていた場合は（ステップS１０３のＹｅｓ）、前述の図５で示したように、Fnキー押下時の動作で設定されている動作が行われる（ステップS１０４）。ここでは、ブラウザソフトで表示しているインターネットロケーションの表示制御が行われ、例えば図３のＹ方向に指が動かされた場合は、現在表示中のインターネットロケーションの直前に表示したページが表示され（戻る）、X方向に指が動かされた場合は、「戻る」操作の前に表示していたページを再び表示する（進む）処理が行われる。
【００６１】
また、ステップ１０３において、Fnキーが押されていることを検出できなかった場合（ステップS１０３のNO）、図５で説明した通常動作で設定されている動作が行われる（ステップＳ１０５）。この例では、ブラウザソフトで表示しているページの上下スクロールが行われる。例えば、図３のX方向に指が動かされた場合は、ページダウンの処理が行われ、Y方向に動かされた場合には、ページアップの処理が行われる。
【００６２】
続いて図９に第１の実施形態に係る音楽再生アプリケーション実行時のタッチホイールの制御フローチャートを示す。
【００６３】
音楽再生アプリケーションが起動され、所定のフォーマットで記録されている音楽ファイルが再生されているものとする（ステップS２０１）。
【００６４】
再生中にタッチホイール８の操作が検出された場合（ステップS２０２）、次にファンクションキー（Fn）が押されているか否かを判断する（ステップS２０３）。もしFnキーがされていた場合は（ステップS２０３のＹｅｓ）、前述の図５で示したように、Fnキー押下時の動作で設定されている動作が行われる（ステップS２０４）。ここでは、ボリュームの調整が行われ、例えば図３のX方向に指が動かされた場合は、ボリュームアップされ、Y方向に動かされた場合には、ボリュームダウンの制御が行われる。
【００６５】
また、ステップ２０３において、Fnキーが押されていることを検出できなかった場合（ステップS２０３のNO）、図５で説明した通常動作で設定されている動作が行われる（ステップＳ２０５）。この例では、音楽再生ファイルの早送り、巻き戻しの操作が行われる。例えば図３のX方向に指が動かされた場合は、音楽再生の早送りが行われ、Y方向に動かされた場合には、音楽再生の巻き戻しが行われる。
【００６６】
上述のように、アプリケーションソフトに応じてタッチホイール８が操作されたときの制御/動作が変更される。また、図６で示した他のアプリケーションソフトも制御の流れは同様である。
【００６７】
このように本発明に係る電子機器では、スティック式ポインティングデバイスとタッチホイールとを併用することで操作性の良い電子機器を提供することが可能である。
【００６８】
本実施形態ではファンクションキー（Ｆｎ）を押しながらのタッチホイール操作により生後を緒行ったが、ファンクションキーに限られるものではなく、コントロールキーやシフトキーなど、自由にそのキーを設定しても良い。また、本実施形態ではアプリケーションソフトの制御設定の例を示したが、これ以外にＬＣＤパネルの輝度調整に用いるなど、その他の設定にも用いることが可能である。
【００６９】
さらに、本実施形態ではスティック式ポインティングデバイスのスティックを中心として、スティックを囲むように環状にタッチパッドを設けることにより、電子機器の設計上省スペースを図ることが可能であり、電子機器の薄型、小型化にも貢献する。
【００７０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７１】
【図１】第１の実施形態に係るパソコンの上面図。
【図２】第１の実施形態に係るパソコンのハードウェア構成図。
【図３】第１の実施形態に係るパソコンの本体ケース上面のスティック周辺の拡大図。
【図４】図３のＺ−Ｚ線に沿った断面図。
【図５】第１の実施形態に係るソフトウェアの構成図。
【図６】第１の実施形態に係るユーティリティソフトの設定ウインドウの図。
【図７】第１の実施形態に係るタッチホイールで操作を設定するアプリケーションソフトの登録画面の図。
【図８】第１の実施形態に係るブラウザアプリケーション実行時のタッチホイールの制御フローチャート。
【図９】第１の実施形態に係る音楽再生アプリケーション実行時のタッチホイールの制御フローチャート。
【符号の説明】
【００７２】
１…パソコン
２…本体ケース
５…キーボード
７…スティック
８…タッチホイール
９…ボタン
１１…ＣＰＵ
１７…ＥＣ／ＫＢＣ
２０…オペレーティングシステム
２１…ＢＩＯＳ
２２…ユーティリティソフト
【図１】
2006260339.tif 000003
【図２】
2006260339.tif 000004
【図３】
2006260339.tif 000005
【図４】
2006260339.tif 000006
【図５】
2006260339.tif 000007
【図６】
2006260339.tif 000008
【図７】
2006260339.tif 000009
【図８】
2006260339.tif 000010
【図９】
2006260339.tif 000011